(57)【要約】【課題】本発明は、暗証番号を覚えていない利用者に対し、暗証番号を覚えてもらうように促しＩＣカードを利用した高セキュリティな決済処理システムを提供する。【解決手段】決済端末１は、暗証番号入力処理をスキップしたことを判定し、当該利用者に対し、センタ計算機２から受信した暗証番号の記憶を促す旨の情報を表示部１６に表示および印字部１７から出力し、さらに、暗証番号を覚えていない利用者の情報をセンタ計算機２に通信部２２より送信することができる。  この情報を受信したセンタ計算機２では、その情報を元に当該利用者に対し、暗証番号の記憶を促す旨の情報を送信することができる。【選択図】図１
2005157833.tif 000002
【特許請求の範囲】
【請求項１】
決済に利用されるカードのカード情報を読み取るカード読取部と、暗証番号を入力するキー入力部と、前記暗証番号の入力処理をスキップさせるためのスキップキーと、前記スキップキーが押下されたことを判定するスキップ判定部と、決済に関する情報を表示する表示部および／または決済に関する情報を印字する印字部と、利用者に対する暗証番号の記憶を促す旨の情報を記憶する記憶部とを備え、前記スキップキーが押下された場合に、前記記憶部に記憶されている利用者に対する暗証番号の記憶を促す旨の情報を、前記表示部に表示するおよび／または前記印字部により印字する決済端末。
【請求項２】
決済に利用されるカードのカード情報を読み取るカード読取部と、暗証番号を入力するキー入力部と、当該決済処理を中止させるための中止キーと、前記中止キーが押下されたことを判定する中止判定部と、決済に関する情報を表示する表示部と、利用者に対する暗証番号の記憶を促す旨の情報を記憶する記憶部とを備え、前記中止キーが押下された場合に、前記記憶部に記憶されている利用者に対する暗証番号の記憶を促す旨の情報を前記表示部に表示する決済端末。
【請求項３】
決済情報を管理するセンタ計算機との通信を行うための通信部と、カード情報から利用者を特定するための利用者情報を抽出する利用者情報抽出部とを備え、決済処理において、スキップキーが押下された場合に前記利用者情報と暗証番号入力中にスキップキーが押下されたことを示す情報を前記センタ計算機に送信する請求項１に記載の決済端末。
【請求項４】
決済情報を管理するセンタ計算機との通信を行うための通信部と、カード情報から利用者を特定するための利用者情報を抽出する利用者情報抽出部とを備え、決済処理において、中止キーが押下された場合に前記利用者情報と暗証番号入力中に中止キーが押下されたことを示す情報を前記センタ計算機に送信する請求項２に記載の決済端末。
【請求項５】
決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中にスキップキーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信するセンタ計算機。
【請求項６】
決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中に中止キーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信するセンタ計算機。
【請求項７】
決済情報を管理するセンタ計算機との通信を行うための通信部と、利用者情報からカード会社を特定するためのカード会社情報を抽出するカード会社情報抽出部と、利用者に対する暗証番号の記憶を促す旨の情報をカード会社情報と関連付けて記憶する記憶部を備え、前記センタ計算機から利用者に対する暗証番号の記憶を促す旨の情報を受信し、前記カード会社情報と関連付けて記憶部に記憶する請求項１および２に記載の決済端末。
【請求項８】
決済処理を行う決済端末と、ネットワークを介して前記決済端末に接続されており決済情報を管理するセンタ計算機とを有する決済処理システムであって、前記決済端末は、決済に利用されるカードのカード情報を読み取るカード読取部と、暗証番号を入力するキー入力部と、前記暗証番号の入力処理をスキップさせるためのスキップキーと、前記スキップキーが押下されたことを判定するスキップ判定部と、決済に関する情報を表示する表示部および／または決済に関する情報を印字する印字部と、利用者に対する暗証番号の記憶を促す旨の情報を記憶する記憶部と、決済情報を管理するセンタ計算機との通信を行うための通信部と、カード情報から利用者を特定するための利用者情報を抽出する利用者情報抽出部とを備え、決済処理において暗証番号入力中にスキップキーが押下された場合に少なくとも利用者情報と暗証番号入力中にスキップキーが押下されたことを示す情報を前記センタ計算機に送信する決済処理システム。
【請求項９】
決済処理を行う決済端末と、ネットワークを介して前記決済端末に接続されており決済情報を管理するセンタ計算機とを有する決済処理システムであって、前記決済端末は、決済に利用されるカードのカード情報を読み取るカード読取部と、暗証番号を入力するキー入力部と、当該決済処理を中止させるための中止キーと、前記中止キーが押下されたことを判定する中止判定部と、決済に関する情報を表示する表示部および／または決済に関する情報を印字する印字部と、利用者に対する暗証番号の記憶を促す旨の情報を記憶する記憶部と、決済情報を管理するセンタ計算機との通信を行うための通信部と、カード情報から利用者を特定するための利用者情報を抽出する利用者情報抽出部とを備え、決済処理において暗証番号入力中に中止キーが押下された場合に少なくとも利用者情報と暗証番号入力中に中止キーが押下されたことを示す情報を前記センタ計算機に送信する決済処理システム。
【請求項１０】
決済処理を行う決済端末と、ネットワークを介して前記決済端末に接続されており決済情報を管理するセンタ計算機とを有する決済処理システムであって、前記センタ計算機は、前記決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中にスキップキーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信する決済処理システム。
【請求項１１】
決済処理を行う決済端末と、ネットワークを介して前記決済端末に接続されており決済情報を管理するセンタ計算機とを有する決済処理システムであって、前記センタ計算機は、前記決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中に中止キーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信する決済処理システム。
【請求項１２】
決済処理を行う決済端末と、ネットワークを介して前記決済端末に接続されており決済情報を管理するセンタ計算機とを有する決済処理システムであって、前記決済端末は、決済情報を管理するセンタ計算機との通信を行うための通信部と、利用者情報からカード会社を特定するためのカード会社情報を抽出するカード会社情報抽出部とを備え、前記センタ計算機から利用者に対する暗証番号の記憶を促す旨の情報を受信し、前記カード会社情報と関連付けて記憶部に記憶する決済処理システム。
【請求項１３】
決済処理を行う決済端末と、ネットワークを介して前記決済端末に接続されており決済情報を管理するセンタ計算機とを有する決済処理システムであって、前記センタ計算機は、前記決済端末との通信を行うための通信部と、利用者の利用履歴情報と利用者に対する暗証番号の記憶を促す旨の情報を利用者の利用履歴情報の管理指標と関連付けて記憶する記憶部と、前記記憶部から利用者の利用履歴情報の管理指標に関連付けられた利用者に対する暗証番号の記憶を促す旨の情報を検索する利用履歴情報検索部と、利用者の利用履歴情報から利用履歴情報の管理指標を抽出する利用履歴情報抽出部を備え、前記決済端末から利用者情報を受信した場合に利用者情報に基づき前記記憶部から利用履歴情報を抽出し、利用履歴情報から利用履歴情報の管理指標を抽出し、さらに前記記憶部から前記利用履歴情報の管理指標に関連付けられた利用者に対する暗証番号の記憶を促す旨の情報を検索し前記決済端末に送信する決済処理システム。
【請求項１４】
利用履歴情報の管理指標が暗証番号の入力処理をスキップさせた回数である請求項１３に記載の決済処理システム。
【請求項１５】
利用履歴情報の管理指標が決済処理を中止させた回数である請求項１３に記載の決済処理システム。
【請求項１６】
利用履歴情報の管理指標がカードの再発行回数である請求項１３に記載の決済処理システム。
【請求項１７】
利用履歴情報の管理指標が前回利用時からの経過期間である請求項１３に記載の決済処理システム。
【発明の詳細な説明】
【技術分野】
【０００１】
本発明は、決済端末、センタ計算機および決済処理システムに関するものである。
【背景技術】
【０００２】
近年、クレジットカードによるカード決済においては、セキュリティの向上などのため、磁気カードからＩＣカードへの切替えが積極的にすすめられている。
【０００３】
磁気カードによるカード決済を利用する場合、利用者は伝票に署名することにより本人認証を行っていた。しかし、ＩＣカードによるカード決済を利用する場合、セキュリティ向上のため、利用者本人であることを確認するための暗証番号を入力することが条件とされている。他のカード決済方法として、キャッシュカードを使用したデビットカードサービスもあるが、この場合も同様に暗証番号を入力することが条件とされている。
【０００４】
図２４は、従来のＩＣカードによるカード決済の概要を示すフロー図である。
【０００５】
利用者は、カードの所有者である。操作者は、カードを発行するカード会社の加盟店の店員であり、決済端末を操作する。決済端末は、決済処理を行う装置であり、ネットワーク（図示せず）を介してセンタ計算機と接続されている。センタ計算機は、カードを発行するカード会社が運営または運営委託している計算機であり、利用者管理・認証判定処理・利用履歴管理などを行う。
【０００６】
利用者は、操作者に対し決済処理を依頼する（Ｓ９０００）。
【０００７】
操作者は、決済端末の決済開始キーを押下し、決済処理を開始する（Ｓ９０１０）。
【０００８】
決済端末は、決済処理を開始し、カードの挿入待ち状態となる（Ｓ９０２０）。
【０００９】
利用者は、表示部の操作案内に従い、カードを挿入する（Ｓ９０３０）。
【００１０】
決済端末は、利用者情報・暗証番号などのカード情報を読み取る（Ｓ９０４０）。
【００１１】
操作者は、購入金額を入力する（Ｓ９０５０）。
【００１２】
操作者は、購入商品の品名などの商品情報を入力する（Ｓ９０６０）。なお、購入商品が複数ある場合はＳ９０４０とＳ９０５０を繰り返し行う。
【００１３】
利用者は、表示部の操作案内に従い、暗証番号を入力する（Ｓ９０７０）。
【００１４】
決済端末は、Ｓ９０４０で獲得したカード情報の暗証番号とＳ９０７０で利用者が入力した暗証番号を照合する（Ｓ９０８０）。照合の結果、「正常」と判断される場合は、Ｓ９０９０に移行する。照合の結果、「正常」と判断されない場合は、再入力処理（図２５において説明）に移行する。
【００１５】
決済端末は、センタ計算機に利用者の利用者情報・購入金額・商品情報を含む認証要求を送信する（Ｓ９０９０）。
【００１６】
センタ計算機は、決済端末から認証要求を受信し、利用者が会員であること・利用履歴を参照し購入金額が利用限度額を超えていないことなどを確認し、認証を判定する（Ｓ９１００）。
【００１７】
センタ計算機は、決済端末に認証結果を送信する（Ｓ９１１０）。
【００１８】
決済端末は、センタ計算機から認証結果を受信し、伝票を印字する（Ｓ９１２０）。
【００１９】
操作者は、利用者に伝票を引き渡す（Ｓ９１３０）。
【００２０】
利用者は、伝票を受け取る（Ｓ９１４０）。
【００２１】
決済端末は、カードを排出し、カードの抜き取り待ち状態となる（Ｓ９１５０）。
【００２２】
利用者は、カードを抜き取る（Ｓ９１６０）。
【００２３】
決済端末は、カードの抜き取りを確認した後、決済処理を終了する（Ｓ９１７０）。
【００２４】
次に、Ｓ９０８０において「正常」と判断されない場合の再入力処理について説明する。
【００２５】
図２５は、従来の再入力処理の概要を示すフロー図である。
【００２６】
利用者は、表示部の操作案内に従い、暗証番号を入力する（Ｓ９０７０）。
【００２７】
決済端末は、Ｓ９０４０で獲得したカード情報の暗証番号とＳ９０７０で利用者が入力した暗証番号を照合する（Ｓ９０８０）。
【００２８】
照合の結果、「正常」と判断される場合は、図２４のＳ９０９０に移行する。照合の結果、「正常」と判断されない場合は、Ｓ９０８２に移行する（Ｓ９０８１）。
【００２９】
決済端末は、暗証番号が「正常」でないことを表示部に表示し、暗証番号の再入力を待つ状態となる（Ｓ９０８２）。
【００３０】
利用者は、表示部の操作案内に従い、暗証番号を再入力する（Ｓ９０８３）。
【００３１】
決済端末は、Ｓ９０４０で獲得したカード情報の暗証番号とＳ９０８３で利用者が再入力した暗証番号を照合する（Ｓ９０８４）。
【００３２】
照合の結果、「正常」と判断される場合は、図２４のＳ９０９０に移行する。照合の結果、「正常」と判断されない場合は、Ｓ９０８６に移行する（Ｓ９０８５）。
【００３３】
決済端末は、再入力した暗証番号が「正常」でないことと決済処理を中止することを表示部に表示し、中止キーの押下を待つ状態となる（Ｓ９０８６）。
【００３４】
操作者は、表示部の操作案内に従い、確定キーを押下する（Ｓ９０８７）。
【００３５】
決済端末は、決済処理中止が確定したことを表示部に表示し、図２４のＳ９１５０に移行する（Ｓ９０８８）。
【００３６】
なお、本フロー図では暗証番号の再入力を１回のみとしているが、複数回行うようにしている決済処理システムもある。
【００３７】
このようにカード決済において重要な暗証番号であるが、ＩＣカードによるカード決済が開始された直後ということもあり、利用者が暗証番号を覚えていない場合が非常に多い。
【００３８】
カード決済において、暗証番号をあらかじめ決められた規定回数以上、間違って入力してしまうとカードが使用できなくなってしまい、利用者だけでなく加盟店およびカードを発行しているカード会社も販売の機会を失ってしまうことになる。
【００３９】
これに対し、ＩＣカードによるカード決済では期間限定の暫定機能として、暗証番号の入力をスキップさせて磁気カードと同じようにオンライン処理を行い、本人認証は署名により処理する手段をとっている。
【００４０】
このような暗証番号忘れなどの対策としては所定期間毎に暗証番号をサーバから利用者の携帯電話へ送信する決済認証方法が公開されている（例えば特許文献１参照）。
【００４１】
なお、一般的に個人認証に使用するコードを「暗証番号」あるいは「パスワード」と表記しているが、本明細書においては、「暗証番号」と統一表記する。
【特許文献１】特開２００３−５８７０４号公報（第４−１０頁、第１図）
【発明の開示】
【発明が解決しようとする課題】
【００４２】
上記に示すようにカード決済において、暗証番号は重要なものであるが、上記従来のような方法では利用者が暗証番号を覚えることを促進する効力はなく、カード決済において暗証番号が必要であることも定着せず、本来ＩＣカードによる取引により期待されていた高セキュリティな取引が実現できないという課題を有していた。
【００４３】
本発明は、暗証番号を覚えていない利用者に対し、暗証番号を覚えてもらいＩＣカードを利用した高セキュリティなカード決済が実現できる決済端末、決済処理システムを提供することを目的としている。
【課題を解決するための手段】
【００４４】
上記目的を達成するために、本発明の決済端末は、決済に利用されるカードのカード情報を読み取るカード読取部と、暗証番号を入力するキー入力部と、前記暗証番号の入力処理をスキップさせるためのスキップキーと、前記スキップキーが押下されたことを判定するスキップ判定部と、決済に関する情報を表示する表示部および／または決済に関する情報を印字する印字部と、利用者に対する暗証番号の記憶を促す旨の情報を記憶する記憶部とを備え、前記スキップキーが押下された場合に、前記記憶部に記憶されている利用者に対する暗証番号の記憶を促す旨の情報を、前記表示部に表示するおよび／または前記印字部により印字する。
【００４５】
この構成によれば、決済端末は暗証番号を覚えていない利用者を識別し、利用者に対する暗証番号の記憶を促す旨の情報を表示部に表示および／または伝票に印字することができる。
【００４６】
また、本発明の決済端末は、決済に利用されるカードのカード情報を読み取るカード読取部と、暗証番号を入力するキー入力部と、当該決済処理を中止させるための中止キーと、前記中止キーが押下されたことを判定する中止判定部と、決済に関する情報を表示する表示部と、利用者に対する暗証番号の記憶を促す旨の情報を記憶する記憶部とを備え、前記中止キーが押下された場合に、前記記憶部に記憶されている利用者に対する暗証番号の記憶を促す旨の情報を前記表示部に表示する。
【００４７】
この構成によれば、決済端末は暗証番号を覚えていない利用者を識別し、利用者に対する暗証番号の記憶を促す旨の情報を表示部に表示することができる。
【００４８】
また、本発明の決済端末は、決済情報を管理するセンタ計算機との通信を行うための通信部と、カード情報から利用者を特定するための利用者情報を抽出する利用者情報抽出部とを備え、決済処理において、スキップキーが押下された場合に前記利用者情報と暗証番号入力中にスキップキーが押下されたことを示す情報を前記センタ計算機に送信する。
【００４９】
この構成によれば、決済端末は暗証番号を覚えていない利用者を識別し、当該利用者の利用者情報をセンタ計算機に送信することができる。
【００５０】
また、本発明の決済端末は、決済情報を管理するセンタ計算機との通信を行うための通信部と、カード情報から利用者を特定するための利用者情報を抽出する利用者情報抽出部とを備え、決済処理において、中止キーが押下された場合に前記利用者情報と暗証番号入力中に中止キーが押下されたことを示す情報を前記センタ計算機に送信する。
【００５１】
この構成によれば、決済端末は暗証番号を覚えていない利用者を識別し、当該利用者の利用者情報をセンタ計算機に送信することができる。
【００５２】
また、本発明のセンタ計算機は、決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中にスキップキーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信する。
【００５３】
この構成によれば、センタ計算機はカード会社情報と関連付けられた利用者に対する暗証番号の記憶を促す旨の情報を決済端末に送信することができる。
【００５４】
また、決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中に中止キーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信する。
【００５５】
この構成によれば、センタ計算機はカード会社情報と関連付けられた利用者に対する暗証番号の記憶を促す旨の情報を決済端末に送信することができる。
【００５６】
また、本発明の決済端末は、決済情報を管理するセンタ計算機との通信を行うための通信部と、利用者情報からカード会社を特定するためのカード会社情報を抽出するカード会社情報抽出部と、利用者に対する暗証番号の記憶を促す旨の情報をカード会社情報と関連付けて記憶する記憶部を備え、前記センタ計算機から利用者に対する暗証番号の記憶を促す旨の情報を受信し、前記カード会社情報と関連付けて記憶部に記憶する。
【００５７】
この構成によれば、決済端末は利用者に対する暗証番号の記憶を促す旨の情報をカード会社情報と関連付けて記憶することができる。
【００５８】
また、本発明の決済処理システムは、決済処理を行う決済端末と、ネットワークを介して前記決済端末に接続されており決済情報を管理するセンタ計算機とを有する決済処理システムであって、前記決済端末は、決済に利用されるカードのカード情報を読み取るカード読取部と、暗証番号を入力するキー入力部と、前記暗証番号の入力処理をスキップさせるためのスキップキーと、前記スキップキーが押下されたことを判定するスキップ判定部と、決済に関する情報を表示する表示部および／または決済に関する情報を印字する印字部と、利用者に対する暗証番号の記憶を促す旨の情報を記憶する記憶部と、決済情報を管理するセンタ計算機との通信を行うための通信部と、カード情報から利用者を特定するための利用者情報を抽出する利用者情報抽出部とを備え、決済処理において暗証番号入力中にスキップキーが押下された場合に少なくとも利用者情報と暗証番号入力中にスキップキーが押下されたことを示す情報を前記センタ計算機に送信する。
【００５９】
この構成によれば、決済処理システムの決済端末は決済処理において暗証番号入力中にスキップキーが押下された場合に利用者情報記憶部に記憶された利用者情報をセンタ計算機に送信することができる。
【００６０】
また、本発明の決済処理システムは、決済処理を行う決済端末と、ネットワークを介して前記決済端末に接続されており決済情報を管理するセンタ計算機とを有する決済処理システムであって、前記決済端末は、決済に利用されるカードのカード情報を読み取るカード読取部と、暗証番号を入力するキー入力部と、当該決済処理を中止させるための中止キーと、前記中止キーが押下されたことを判定する中止判定部と、決済に関する情報を表示する表示部および／または決済に関する情報を印字する印字部と、利用者に対する暗証番号の記憶を促す旨の情報を記憶する記憶部と、決済情報を管理するセンタ計算機との通信を行うための通信部と、カード情報から利用者を特定するための利用者情報を抽出する利用者情報抽出部とを備え、決済処理において暗証番号入力中に中止キーが押下された場合に少なくとも利用者情報と暗証番号入力中に中止キーが押下されたことを示す情報を前記センタ計算機に送信する。
【００６１】
この構成によれば、決済処理システムの決済端末は決済処理において暗証番号入力中に中止キーが押下された場合に利用者情報記憶部に記憶された利用者情報をセンタ計算機に送信することができる。
【００６２】
また、本発明の決済処理システムは、決済処理を行う決済端末と、ネットワークを介して前記決済端末に接続されており決済情報を管理するセンタ計算機とを有する決済処理システムであって、前記センタ計算機は、前記決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中にスキップキーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信する。
【００６３】
この構成によれば、決済処理システムのセンタ計算機は決済端末から利用者情報と暗証番号入力中にスキップキーが押下されたことを示す情報を受信した場合に利用者情報からカード会社情報を抽出し、記憶部から前記カード会社情報に対応する利用者に対する暗証番号の記憶を促す旨の情報を検索し決済端末に送信することができる。
【００６４】
また、本発明の決済処理システムは、決済処理を行う決済端末と、ネットワークを介して前記決済端末に接続されており決済情報を管理するセンタ計算機とを有する決済処理システムであって、前記センタ計算機は、前記決済端末との通信を行うための通信部と、利用者に対する暗証番号の記憶を促す旨の情報をカード会社情報と関連付けて記憶する記憶部と、前記記憶部からカード会社情報に関連付けられた利用者に対する暗証番号の記憶を促す旨の情報を検索するカード会社情報検索部と、利用者情報からカード会社を特定するためのカード会社情報を抽出するカード会社情報抽出部を備え、前記決済端末から利用者情報と暗証番号入力中に中止キーが押下されたことを示す情報を受信した場合に利用者情報からカード会社情報を抽出し、前記記憶部から前記カード会社情報に関連付けられた利用者に対する暗証番号の記憶を促す旨の情報を検索し前記決済端末に送信する。
【００６５】
この構成によれば、決済処理システムのセンタ計算機は決済端末から利用者情報と暗証番号入力中に中止キーが押下されたことを示す情報を受信した場合に利用者情報からカード会社情報を抽出し、記憶部から前記カード会社情報に対応する利用者に対する暗証番号の記憶を促す旨の情報を検索し決済端末に送信することができる。
【００６６】
また、本発明の決済処理システムは、決済処理を行う決済端末と、ネットワークを介して前記決済端末に接続されており決済情報を管理するセンタ計算機とを有する決済処理システムであって、前記決済端末は、決済情報を管理するセンタ計算機との通信を行うための通信部と、利用者情報からカード会社を特定するためのカード会社情報を抽出するカード会社情報抽出部とを備え、前記センタ計算機から利用者に対する暗証番号の記憶を促す旨の情報を受信し、前記カード会社情報と関連付けて記憶部に記憶する。
【００６７】
この構成によれば、決済処理システムの決済端末はセンタ計算機から利用者に対する暗証番号の記憶を促す旨の情報を受信し、カード会社情報と関連付けて記憶部に記憶することができる。
【００６８】
また、本発明の決済処理システムは、決済処理を行う決済端末と、ネットワークを介して前記決済端末に接続されており決済情報を管理するセンタ計算機とを有する決済処理システムであって、前記センタ計算機は、前記決済端末との通信を行うための通信部と、利用者の利用履歴情報と利用者に対する暗証番号の記憶を促す旨の情報を利用者の利用履歴情報の管理指標と関連付けて記憶する記憶部と、前記記憶部から利用者の利用履歴情報の管理指標に関連付けられた利用者に対する暗証番号の記憶を促す旨の情報を検索する利用履歴情報検索部と、利用者の利用履歴情報から利用履歴情報の管理指標を抽出する利用履歴情報抽出部を備え、前記決済端末から利用者情報を受信した場合に利用者情報に基づき前記記憶部から利用履歴情報を抽出し、利用履歴情報から利用履歴情報の管理指標を抽出し、さらに前記記憶部から前記利用履歴情報の管理指標に関連付けられた利用者に対する暗証番号の記憶を促す旨の情報を検索し前記決済端末に送信する。
【００６９】
この構成によれば、決済処理システムのセンタ計算機は決済端末から利用者情報を受信した場合に利用者情報に基づき記憶部から利用履歴情報を抽出し、利用履歴情報から利用履歴情報の管理指標を抽出し、さらに記憶部から利用履歴情報の管理指標に関連付けられた利用者に対する暗証番号の記憶を促す旨の情報を検索し決済端末に送信することができる。
【００７０】
また、本発明の決済処理システムは、利用履歴情報の管理指標が暗証番号の入力処理をスキップさせた回数である。
【００７１】
この構成によれば、決済処理システムは暗証番号の入力処理をスキップさせた回数に依存して利用者に対する暗証番号の記憶を促す旨の情報の内容を変えることができる。
【００７２】
また、本発明の決済処理システムは、利用履歴情報の管理指標が決済処理を中止させた回数である。
【００７３】
この構成によれば、決済処理システムは決済処理を中止させた回数に依存して利用者に対する暗証番号の記憶を促す旨の情報の内容を変えることができる。
【００７４】
また、本発明の決済処理システムは、利用履歴情報の管理指標がカードの再発行回数である。
【００７５】
この構成によれば、決済処理システムはカードの再発行回数に依存して利用者に対する暗証番号の記憶を促す旨の情報の内容を変えることができる。
【００７６】
また、本発明の決済処理システムは、利用履歴情報の管理指標が前回利用時からの経過期間である。
【００７７】
この構成によれば、決済処理システムは前回利用時からの経過期間に依存して利用者に対する暗証番号の記憶を促す旨の情報の内容を変えることができる。
【発明の効果】
【００７８】
以上のように、本発明は暗証番号を覚えていない利用者を識別し、当該利用者に対し、決済端末の表示部や伝票に利用者に対する暗証番号の記憶を促す旨の情報を示し、さらにセンタ計算機に対し当該利用者情報を通知することにより、センタ計算機が効果的に利用者に対する暗証番号の記憶を促す旨の情報を送信することにより、利用者が暗証番号を覚えることを促進することができ、高セキュリティな決済端末、決済処理システムを提供することができる。
【発明を実施するための最良の形態】
【００７９】
以下、本発明を実施するための最良の形態について、図１から図２３を用いて説明する。
【００８０】
（実施の形態１）
本発明の決済端末の構成について説明する。
【００８１】
図１は本発明の決済端末の構成を示すブロック図であり、図１（ａ）は本発明の決済端末の全体構成、図１（ｂ）はキー入力部の詳細構成を示すブロック図である。
【００８２】
図１（ａ）の１１は、決済端末１全体を制御するメイン処理部であり、例えばＣＰＵを使用する。
【００８３】
１４は、カード６に記憶されているカード情報を読み取るためのカード読取部であり、例えばＩＣカードリーダを使用する。カード情報には、利用者を特定するための利用者情報が含まれている。さらに利用者情報には、利用者が所属するカード会社を特定するためのカード会社情報が含まれている。
【００８４】
例えば、利用者情報を１６桁の数字で構成し、先頭から４桁をカード会社情報に割り当てる方法や先頭から４桁の値が特定の範囲内にあることによりカード会社情報を判別する方法がある。
【００８５】
１５は、決済端末の操作、購入商品の金額や購入商品に関連する情報の入力、さらに暗証番号の入力を行うためのキー入力部であり、例えばキーボードを使用する。
【００８６】
１６は、操作案内などを表示するための表示部であり、例えば液晶表示装置を使用する。
【００８７】
１７は、伝票を印字するための印字部であり、例えばプリンタを使用する。
【００８８】
１８は、決済端末１全体を制御するプログラム、利用者に対する暗証番号の記憶を促す旨の情報、当該取引に関連する取引情報、認証結果、加盟店情報などの情報を記憶する記憶部であり、例えばＲＯＭやＲＡＭを使用する。
【００８９】
１９は、スキップキー１５３が押下されたことを検出するスキップ判定部であり、例えばスキップキー１５３が接続されているポート番号のＩＯ出力（押下している状態であれば１、押下していない状態であれば０）を入力することにより押下されたことを検出し、記憶部１８の特定エリアにスキップキー１５３が押下されたことを示すスキップフラグをセットする。
【００９０】
２２は、センタ計算機との通信を行うための通信部であり、ネットワークが公衆回線であれば例えばモデム、ネットワークが構内ＬＡＮやＷＡＮであれば例えばＬＡＮカードを使用する。
【００９１】
図１（ｂ）の１５１は、決済処理の開始を指示する決済開始キーである。１５３は、暗証番号の入力をスキップする場合に押下するスキップキーである。１５４は、暗証番号や購入商品の金額を入力するためのテンキーであり、数字（０〜９）が割り当てられている。１５５は、暗証番号や購入商品の金額を確定させるための確定キーである。１５６は、購入商品に関連する情報を入力するための商品情報キーであり、書籍であれば文庫本や単行本のように専用キーを割り当てる。
【００９２】
次に決済端末１の動作について説明する。
【００９３】
図２は、本発明の決済端末１のＩＣカードによるカード決済の概要を示すフロー図である。
【００９４】
利用者４は、カード６の所有者である。操作者５は、カード６を発行するカード会社の加盟店の店員であり、決済端末１を操作する。決済端末１は、決済処理を行う装置であり、ネットワーク（図示せず）を介してセンタ計算機２と接続されている。センタ計算機２は、カード６を発行するカード会社が運営または運営委託している計算機であり、利用者管理・認証判定処理・利用履歴管理などを行う。
【００９５】
利用者４は、操作者５に対し決済処理を依頼する（Ｓ１０００）。
【００９６】
操作者５は、決済端末１の決済開始キーを押下し、決済処理を開始する（Ｓ１０１０）。
【００９７】
決済端末１は、決済処理を開始し、カードの挿入待ち状態となる（Ｓ１０２０）。
【００９８】
利用者４は、表示部１５の操作案内に従い、カード読取部１４にカード６を挿入する（Ｓ１０３０）。
【００９９】
決済端末１は、カード６から利用者情報・暗証番号などのカード情報を読み取る（Ｓ１０４０）。
【０１００】
操作者５は、キー入力部１５から購入金額を入力する（Ｓ１０５０）。
【０１０１】
操作者５は、キー入力部１５から購入商品の品名などの商品情報を入力する（Ｓ１０６０）。なお、購入商品が複数ある場合はＳ１０４０とＳ１０５０を繰り返し行う。
【０１０２】
利用者４は、表示部１５の操作案内に従い、暗証番号を入力するか、または暗証番号をスキップするかを選択する（Ｓ１０７０）。本フロー図では、暗証番号を入力する動作を説明する。なお、暗証番号をスキップする動作は、図４において説明する。表示部１５の操作案内の一実施例を図５（ａ）に示す。
【０１０３】
利用者４は、表示部１５の操作案内に従い、キー入力部１５から暗証番号を入力する（Ｓ１０７１）。
【０１０４】
決済端末１は、暗証番号が入力され確定キー１５５が押下されるかあるいはスキップキー１５３が押下されるのを監視する。暗証番号が入力され確定キー１５５が押下された場合は、Ｓ１０４０で獲得したカード情報の暗証番号とＳ１０７１で利用者４が入力した暗証番号を照合する（Ｓ１０８０）。
【０１０５】
照合の結果、「正常」と判断される場合は、Ｓ１０９０に移行する。照合の結果、「正常」と判断されない場合は、再入力処理（図３において説明）に移行する。
【０１０６】
決済端末１は、通信部２２によりセンタ計算機２に利用者４の利用者情報・購入金額・商品情報を含む認証要求を送信する（Ｓ１０９０）。認証要求については、図１２において詳しく説明する。
【０１０７】
センタ計算機２は、決済端末１から認証要求を受信し、利用者４が会員であること・利用履歴を参照し購入金額が利用限度額を超えていないことなどを確認し、認証判定する（Ｓ１１００）。
【０１０８】
センタ計算機２は、決済端末１に認証結果を送信する（Ｓ１１１０）。認証結果については、図１２において詳しく説明する。
【０１０９】
決済端末１は、センタ計算機２から認証結果を受信し、スキップフラグを確認する。スキップフラグがセットされていない場合は、印字部１７により通常伝票を印字する（Ｓ１１２０）。なお、通常伝票とは、利用者に対する暗証番号の記憶を促す旨の情報を含まない伝票である。通常伝票の一実施例を図５（ｃ）に示す。
【０１１０】
操作者５は、利用者４に伝票を引き渡す（Ｓ１１３０）。
【０１１１】
利用者４は、伝票を受け取る（Ｓ１１４０）。
【０１１２】
決済端末１は、カード６を排出し、カードの抜き取り待ち状態となる（Ｓ１１５０）。
【０１１３】
利用者４は、カード読取部１４からカード６を抜き取る（Ｓ１１６０）。
【０１１４】
決済端末１は、カード６の抜き取りを確認した後、決済処理を終了する（Ｓ１１７０）。
【０１１５】
次に、Ｓ１０８０において「正常」と判断されない場合の再入力処理について説明する。
【０１１６】
図３は、再入力処理の概要を示すフロー図である。
【０１１７】
利用者４は、表示部１５の操作案内に従い、キー入力部１５から暗証番号を入力する（Ｓ１０７１）。
【０１１８】
決済端末１は、暗証番号が入力され確定キー１５５が押下されるかあるいはスキップキー１５３が押下されるのを監視する。暗証番号が入力され確定キー１５５が押下された場合は、Ｓ１０４０で獲得したカード情報の暗証番号とＳ１０７１で利用者４が入力した暗証番号を照合する（Ｓ１０８０）。
【０１１９】
照合の結果、「正常」と判断される場合は、図２のＳ１０９０に移行する。照合の結果、「正常」と判断されない場合は、Ｓ１０８２に移行する（Ｓ１０８１）。
【０１２０】
決済端末１は、暗証番号が「正常」でないことを表示部１５に表示し、暗証番号の再入力を待つ状態となる（Ｓ１０８２）。
【０１２１】
利用者４は、表示部１５の操作案内に従い、キー入力部１５から暗証番号を再入力する（Ｓ１０８３）。
【０１２２】
決済端末１は、Ｓ１０４０で獲得したカード情報の暗証番号とＳ１０８３で利用者４が再入力した暗証番号を照合する（Ｓ１０８４）。
【０１２３】
照合の結果、「正常」と判断される場合は、図２のＳ１０９０に移行する。照合の結果、「正常」と判断されない場合は、Ｓ１０８２に移行し「正常」と判断されるまで繰り返す（Ｓ１０８５）。
【０１２４】
次に、暗証番号入力をスキップする暗証番号入力スキップ処理について説明する。
【０１２５】
図４は、暗証番号入力をスキップする動作の概要を示すフロー図である。
【０１２６】
なお、図１と同一動作については説明を省略する。
【０１２７】
Ｓ１０００〜Ｓ１０７０は、図１と同一動作なので説明を省略する。
【０１２８】
利用者４は、表示部１５の操作案内に従い、暗証番号入力をスキップすることを操作者５に依頼する（Ｓ１０７２）。
【０１２９】
操作者５は、スキップキー１５３を押下する（Ｓ１０７３）。
【０１３０】
決済端末１は、暗証番号が入力され確定キー１５５が押下されるかあるいはスキップキー１５３が押下されるのを監視する。スキップ判定部１９によりスキップキー１５３が押下されたことを判定したとき、記憶部１８から利用者に対する暗証番号の記憶を促す旨の情報を読み込み表示部１５に表示する（Ｓ１０８９）。表示部１５の操作案内の一例を図５（ｂ）に示す。
【０１３１】
利用者に対する暗証番号の記憶を促す旨の情報の一例として、「暗証番号の入力をスキップしました。暗証番号の入力にご協力のほど、よろしくお願いします。」と表示する。なお、利用者に対する暗証番号の記憶を促す旨の情報は利用者に暗証番号の記憶を促す内容であればよく、上記した例に限定されるものではない。
【０１３２】
Ｓ１０９０〜Ｓ１１１０は、図１と同一動作なので説明を省略する。
【０１３３】
決済端末１は、センタ計算機２から認証結果を受信し、スキップフラグを確認する。スキップフラグがセットされている場合は、記憶部から利用者に対する暗証番号の記憶を促す旨の情報を読み込み印字部１７によりスキップ伝票を印字する（Ｓ１１２１）。なお、スキップ伝票とは、スキップキー１５３が押下された場合に印字される伝票であり、利用者に対する暗証番号の記憶を促す旨の情報を含む伝票である。スキップ伝票の一例を図５（ｄ）に示す。
【０１３４】
Ｓ１０３０〜Ｓ１１７０は、図１と同一動作なので説明を省略する。
【０１３５】
図５は、利用者に対する暗証番号の記憶を促す旨の情報の表示状態および印字状態を示す図である。
【０１３６】
図５（ａ）はスキップキー１５３が押下されないときの表示部１５の操作案内の一例を示す。
【０１３７】
図５（ｂ）はスキップキー１５３が押下されたときの表示部１５の操作案内の一例を示す。
【０１３８】
図５（ｃ）は通常伝票の一例を示す。
【０１３９】
図５（ｄ）はスキップ伝票の一例を示す。
【０１４０】
この構成によれば、決済端末は暗証番号を覚えていないため、暗証番号入力をスッキプした利用者を特定し、利用者に対する暗証番号の記憶を促す旨の情報を表示部に表示および／または伝票に印字することができるので、利用者に暗証番号の必要性を知らしめることができる。
【０１４１】
（実施の形態２）
本発明の決済端末の構成について説明する。
【０１４２】
図６は本発明の決済端末の構成を示すブロック図であり、図６（ａ）は本発明の決済端末の全体構成、図６（ｂ）はキー入力部の詳細構成を示すブロック図である。
【０１４３】
図６（ａ）の１１は、決済端末１全体を制御するメイン処理部１１であり、例えばＣＰＵを使用する。
【０１４４】
１４は、カード６に記憶されているカード情報を読み取るためのカード読取部であり、例えばＩＣカードリーダを使用する。カード情報には、利用者を特定するための利用者情報が含まれている。さらに利用者情報には、利用者が所属するカード会社を特定するためのカード会社情報が含まれている。
【０１４５】
例えば、利用者情報を１６桁の数字で構成し、先頭から４桁をカード会社情報に割り当てる方法や先頭から４桁の値が特定の範囲内にあることによりカード会社情報を判別する方法がある。
【０１４６】
１５は、決済端末の操作、購入商品の金額や購入商品に関連する情報の入力、さらに暗証番号の入力を行うためのキー入力部であり、例えばキーボードを使用する。
【０１４７】
１６は、操作案内などを表示するための表示部１６であり、例えば液晶表示装置を使用する。
【０１４８】
１７は、伝票を印字するための印字部であり、例えばプリンタを使用する。
【０１４９】
１８は、決済端末１全体を制御するプログラム、利用者に対する暗証番号の記憶を促す旨の情報、当該取引に関連する取引情報、認証結果、加盟店情報などの情報を記憶する記憶部であり、例えばＲＯＭやＲＡＭを使用する。
【０１５０】
２０は、中止キー１５２が押下されたことを検出する中止判定部であり、例えば中止キー１５２が接続されているポート番号のＩＯ出力（押下している状態であれば１、押下していない状態であれば０）を入力することにより押下されたことを検出し、記憶部の特定エリアに中止キー１５２が押下されたことを示す中止フラグをセットする。
【０１５１】
２２は、センタ計算機との通信を行うための通信部であり、ネットワーク３が公衆回線であれば例えばモデム、ネットワーク３が構内ＬＡＮやＷＡＮであれば例えばＬＡＮカードを使用する。
【０１５２】
図６（ｂ）の１５１は、決済処理の開始を指示する決済開始キーである。１５２は、決済処理を中止する場合に押下する中止キーである。１５４は、暗証番号や購入商品の金額を入力するためのテンキーであり、数字（０〜９）が割り当てられている。１５５は、暗証番号や購入商品の金額を確定させるための確定キーである。１５６は、購入商品に関連する情報を入力するための商品情報キーであり、書籍であれば文庫本や単行本のように専用キーを割り当てる。
【０１５３】
次に決済端末１の動作について説明する。
【０１５４】
図７は、本発明の決済端末１のＩＣカードによるカード決済の概要を示すフロー図である。
【０１５５】
利用者４は、カード６の所有者である。操作者５は、カード６を発行するカード会社の加盟店の店員であり、決済端末１を操作する。決済端末１は、決済処理を行う装置であり、ネットワーク（図示せず）を介してセンタ計算機２と接続されている。センタ計算機２は、カード６を発行するカード会社が運営または運営委託している計算機であり、利用者管理・認証判定処理・利用履歴管理などを行う。
【０１５６】
利用者４は、操作者５に対し決済処理を依頼する（Ｓ２０００）。
【０１５７】
操作者５は、決済端末１の決済開始キーを押下し、決済処理を開始する（Ｓ２０１０）。
【０１５８】
決済端末１は、決済処理を開始し、カードの挿入待ち状態となる（Ｓ２０２０）。
【０１５９】
利用者４は、表示部１５の操作案内に従い、カード読取部１４にカード６を挿入する（Ｓ２０３０）。
【０１６０】
決済端末１は、カード６から利用者情報・暗証番号などのカード情報を読み取る（Ｓ２０４０）。
【０１６１】
操作者５は、キー入力部１５から購入金額を入力する（Ｓ２０５０）。
【０１６２】
操作者５は、キー入力部１５から購入商品の品名などの商品情報を入力する（Ｓ２０６０）。なお、購入商品が複数ある場合はＳ２０４０とＳ２０５０を繰り返し行う。
【０１６３】
利用者４は、表示部１５の操作案内に従い、暗証番号を入力するか、または暗証番号を中止するかを選択する（Ｓ２０７０）。本フロー図では、暗証番号を入力する動作を説明する。なお、暗証番号を中止する動作は、図４において説明する。表示部１５の操作案内の一実施例を図９（ａ）に示す。
【０１６４】
利用者４は、表示部１５の操作案内に従い、キー入力部１５から暗証番号を入力する（Ｓ２０７１）。
【０１６５】
決済端末１は、暗証番号が入力され確定キー１５５が押下されるかあるいは中止キー１５２が押下されるのを監視する。暗証番号が入力され確定キー１５５が押下された場合は、Ｓ２０４０で獲得したカード情報の暗証番号とＳ２０７１で利用者４が入力した暗証番号を照合する（Ｓ２０８０）。
【０１６６】
照合の結果、「正常」と判断される場合は、Ｓ２０９０に移行する。照合の結果、「正常」と判断されない場合は、再入力処理（図８において説明）に移行する。
【０１６７】
決済端末１は、通信部２２によりセンタ計算機２に利用者４の利用者情報・購入金額・商品情報を含む認証要求を送信する（Ｓ２０９０）。
【０１６８】
センタ計算機２は、決済端末１から認証要求を受信し、利用者４が会員であること・利用履歴を参照し購入金額が利用限度額を超えていないことなどを確認し、認証判定する（Ｓ２１００）。
【０１６９】
センタ計算機２は、決済端末１に認証結果を送信する（Ｓ２１１０）。
【０１７０】
決済端末１は、センタ計算機２から認証結果を受信し、中止フラグを確認する。中止フラグがセットされていない場合は、印字部１７により通常伝票を印字する（Ｓ２１２０）。なお、通常伝票とは、利用者に対する暗証番号の記憶を促す旨の情報を含まない伝票である。通常伝票の一実施例を図９（ｄ）に示す。
【０１７１】
操作者５は、利用者４に伝票を引き渡す（Ｓ２１３０）。
【０１７２】
利用者４は、伝票を受け取る（Ｓ２１４０）。
【０１７３】
決済端末１は、カード６を排出し、カードの抜き取り待ち状態となる（Ｓ２１５０）。
【０１７４】
利用者４は、カード読取部１４からカード６を抜き取る（Ｓ２１６０）。
【０１７５】
決済端末１は、カード６の抜き取りを確認した後、決済処理を終了する（Ｓ２１７０）。
【０１７６】
次に、Ｓ２０８０において「正常」と判断されない場合の再入力処理について説明する。
【０１７７】
図８は、決済中止処理の概要を示すフロー図である。
【０１７８】
利用者４は、表示部１５の操作案内に従い、暗証番号を入力する（Ｓ２０７０）。表示部１５の操作案内の一実施例を図９（ａ）に示す。
【０１７９】
決済端末１は、暗証番号が入力され確定キー１５５が押下されるのを監視する。暗証番号が入力され確定キー１５５が押下されると、Ｓ２０４０で獲得したカード情報の暗証番号とＳ２０７０で利用者４が入力した暗証番号を照合する（Ｓ２０８０）。照合の結果、「正常」と判断される場合は、図７のＳ２０９０に移行する。照合の結果、「正常」と判断されない場合は、Ｓ２０８２に移行する（Ｓ２０８１）。
【０１８０】
決済端末１は、暗証番号が「正常」でないことを示すとともに、記憶部から利用者に対する暗証番号の記憶を促す旨の情報を読み込み表示部１５に表示する（Ｓ２０８２）。表示部１５の操作案内の一実施例を図９（ｂ）に示す。
【０１８１】
利用者に対する暗証番号の記憶を促す旨の情報の一実施例として、「中止キーを押下して、決済処理を中止してください。暗証番号の入力にご協力のほど、よろしくお願いします。」と表示する。なお、利用者に対する暗証番号の記憶を促す旨の情報は利用者に暗証番号の記憶を促す内容であればよく、上記実施例に限定されるものではない。
【０１８２】
利用者４は、表示部１５の操作案内に従い、操作者５に決済処理中止を依頼する（Ｓ２０８３）。
【０１８３】
操作者５は、中止キーを押下する（Ｓ２０８４）。
【０１８４】
決済端末１は、中止キー１５２が押下されたことを判定した場合は、中止フラグをセットする（Ｓ２０８５）。
【０１８５】
決済端末１は、中止フラグを確認する。中止フラグがセットされている場合は、記憶部から利用者に対する暗証番号の記憶を促す旨の情報を読み込み、決済処理を中止することを表示部１５に表示する（Ｓ２０８６）。表示部１５の操作案内の一実施例を図９（ｃ）に示す。
【０１８６】
利用者に対する暗証番号の記憶を促す旨の情報の一実施例として、「決済処理を中止しました。暗証番号の入力にご協力のほど、よろしくお願いします。」と表示する。なお、利用者に対する暗証番号の記憶を促す旨の情報は利用者に暗証番号の記憶を促す内容であればよく、上記実施例に限定されるものではない。その後、図７のＳ２１２０に移行する。
【０１８７】
図９は、利用者に対する暗証番号の記憶を促す旨の情報の表示状態および印字状態を示す図である。
【０１８８】
図９（ａ）は暗証番号入力待ちの表示部１５の操作案内の一実施例を示す。
【０１８９】
図９（ｂ）は暗証番号が「正常」でないときの表示部１５の操作案内の一実施例を示す。
【０１９０】
図９（ｃ）は中止キー１５２が押下されたときの表示部１５の操作案内の一実施例を示す。
【０１９１】
図９（ｄ）は通常伝票の一実施例を示す。
【０１９２】
この構成によれば、決済端末は暗証番号を覚えていないため、決済処理を中止した利用者を特定し、利用者に対する暗証番号の記憶を促す旨の情報を表示部に表示することができるので、利用者に暗証番号の必要性を知らしめることができる。
【０１９３】
（実施の形態３）
本発明の決済端末の構成について説明する。
【０１９４】
図１０は本発明の決済端末の構成を示すブロック図であり、図１０（ａ）は本発明の決済端末の全体構成、図１０（ｂ）はキー入力部の詳細構成を示すブロック図である。
【０１９５】
図１０（ａ）の１１は、決済端末１全体を制御するメイン処理部１１であり、例えばＣＰＵを使用する。
【０１９６】
１４は、カード６に記憶されているカード情報を読み取るためのカード読取部であり、例えばＩＣカードリーダを使用する。カード情報には、利用者を特定するための利用者情報が含まれている。さらに利用者情報には、利用者が所属するカード会社を特定するためのカード会社情報が含まれている。
【０１９７】
例えば、利用者情報を１６桁の数字で構成し、先頭から４桁をカード会社情報に割り当てる方法や先頭から４桁の値が特定の範囲内にあることによりカード会社情報を判別する方法がある。
【０１９８】
１５は、決済端末の操作、購入商品の金額や購入商品に関連する情報の入力、さらに暗証番号の入力を行うためのキー入力部であり、例えばキーボードを使用する。
【０１９９】
１６は、操作案内などを表示するための表示部１６であり、例えば液晶表示装置を使用する。
【０２００】
１７は、伝票を印字するための印字部であり、例えばプリンタを使用する。
【０２０１】
１８は、決済端末１全体を制御するプログラム、利用者に対する暗証番号の記憶を促す旨の情報、当該取引に関連する取引情報、認証結果、加盟店情報などの情報を記憶する記憶部であり、例えばＲＯＭやＲＡＭを使用する。
【０２０２】
１９は、スキップキー１５３が押下されたことを検出するスキップ判定部であり、例えばスキップキー１５３が接続されているポート番号のＩＯ出力（押下している状態であれば１、押下していない状態であれば０）を入力することにより押下されたことを検出し、記憶部１８の特定エリアにスキップキー１５３が押下されたことを示すスキップフラグをセットする。
【０２０３】
２１は、カード情報から利用者を特定するための利用者情報を抽出する利用者情報抽出部であり、例えばカード情報から利用者情報を特定するための１６桁の数字を抽出する。
【０２０４】
２２は、センタ計算機との通信を行うための通信部であり、ネットワーク３が公衆回線であれば例えばモデム、ネットワーク３が構内ＬＡＮやＷＡＮであれば例えばＬＡＮカードを使用する。
【０２０５】
２３は、利用者情報からカード会社を特定するためのカード会社情報を抽出するカード会社情報抽出部であり、例えば利用者情報（１６桁）の先頭から４桁をカード会社を特定するためのカード会社情報として抽出する。さらに利用者情報の定義の仕方に依存して、利用者情報（１６桁）の先頭から４桁が００００〜４９９９であればカード会社Ａと判定しカード会社Ａを特定するためのカード会社情報（０００Ａ）を抽出し、５０００〜９９９９であればカード会社Ｂと判定しカード会社Ｂを特定するためのカード会社情報（０００Ｂ）を抽出する方法もある。なお、利用者情報の定義の仕方に依存して抽出方法は変わるので、上記実施例に限定されるものではない。
【０２０６】
図１０（ｂ）の１５１は、決済処理の開始を指示する決済開始キーである。１５３は、暗証番号の入力をスキップする場合に押下するスキップキーである。１５４は、暗証番号や購入商品の金額を入力するためのテンキーであり、数字（０〜９）が割り当てられている。１５５は、暗証番号や購入商品の金額を確定させるための確定キーである。１５６は、購入商品に関連する情報を入力するための商品情報キーであり、書籍であれば文庫本や単行本のように専用キーを割り当てる。
【０２０７】
次に決済端末１の動作について説明する。
【０２０８】
なお、暗証番号が正しく入力される場合の処理は、実施の形態１の図２と同じなので説明を省略し、暗証番号入力をスキップする動作についてのみ説明する。
【０２０９】
図１１は、暗証番号入力をスキップする動作の概要を示すフロー図である。
【０２１０】
Ｓ１０００〜Ｓ１０７０は、実施の形態１の図２と同一動作なので説明を省略する。
【０２１１】
利用者４は、表示部１５の操作案内に従い、暗証番号入力をスキップすることを操作者５に依頼する（Ｓ１０７２）。
【０２１２】
操作者５は、スキップキー１５３を押下する（Ｓ１０７３）。
【０２１３】
決済端末１は、暗証番号が入力され確定キー１５５が押下されるかあるいはスキップキー１５３が押下されるのを監視する。スキップ判定部１９によりスキップキー１５３が押下されたことを判定した場合は、センタ計算機２に利用者情報と暗証番号入力中にスキップキーが押下されたことを示す情報としてスキップ通知を通信部２２より送信する（Ｓ１０８Ａ）。スキップ通知については、図１２において詳しく説明する。
【０２１４】
センタ計算機２は、決済端末１からスキップ通知を受信し、利用者に対する暗証番号の記憶を促す旨の情報を検索する（Ｓ１０８Ｂ）。なお、センタ計算機２の動作については、実施の形態５において詳しく説明する。
【０２１５】
センタ計算機２は、決済端末１に利用者に対する暗証番号の記憶を促す旨の情報を送信する（Ｓ１０８Ｃ）。なお、センタ計算機２の動作については、実施の形態５において詳しく説明する。
【０２１６】
決済端末１は、センタ計算機２から利用者に対する暗証番号の記憶を促す旨の情報を通信部２２より受信し、カード会社情報と関連付けて記憶部１８に記憶し、表示部１５に表示する（Ｓ１０８Ｄ）。表示部１５の操作案内の一実施例を図１３（ａ）に示す。
【０２１７】
利用者に対する暗証番号の記憶を促す旨の情報の一実施例として、「暗証番号の入力をスキップしました。暗証番号の入力にご協力のほど、よろしくお願いします。暗証番号の確認は、下記連絡先へお願いします。ＴＥＬ××−××××−××××」と表示する。なお、利用者に対する暗証番号の記憶を促す旨の情報は利用者に暗証番号の記憶を促す内容であり、カード会社情報に依存する内容として暗証番号の確認先の電話番号などを含むものであればよく、上記実施例に限定されるものではない。
【０２１８】
Ｓ１０９０〜Ｓ１１１０は、実施の形態１の図２と同一動作なので説明を省略する。
【０２１９】
決済端末１は、センタ計算機２から認証結果を通信部２２より受信し、スキップフラグを確認する。スキップフラグがセットされている場合は、記憶部１８からカード会社情報と関連付けられた利用者に対する暗証番号の記憶を促す旨の情報を読み込み印字部１７によりスキップ伝票を印字する（Ｓ１１２１）。なお、スキップ伝票とは、スキップキー１５３が押下された場合に印字される伝票であり、利用者に対する暗証番号の記憶を促す旨の情報を含む伝票である。スキップ伝票の一実施例を図１３（ｂ）に示す。
【０２２０】
利用者に対する暗証番号の記憶を促す旨の情報の一実施例として、「暗証番号の入力をスキップしました。暗証番号の入力にご協力のほど、よろしくお願いします。暗証番号の確認は、下記連絡先へお願いします。ＴＥＬ××−××××−××××」と印字する。なお、利用者に対する暗証番号の記憶を促す旨の情報は利用者に暗証番号の記憶を促す内容であり、カード会社情報に依存する内容として暗証番号の確認先の電話番号などを含むものであればよく、上記実施例に限定されるものではない。
【０２２１】
Ｓ１０３０〜Ｓ１１７０は、実施の形態１の図２と同一動作なので説明を省略する。
【０２２２】
図１２は、決済端末１とセンタ計算機２間の電文フォーマットを示す図である。
【０２２３】
（ａ）認証要求は、電文種別として「１」、決済端末を特定するための決済端末コード、利用者を特定するための利用者情報、そして購入商品の数と対応した購入商品Ｎの金額・購入商品Ｎの情報より構成される。
【０２２４】
（ｂ）認証結果は、電文種別として「２」、決済端末を特定するための決済端末コード、利用者を特定するための利用者情報、そして結果として正常であれば「０」、正常でなければ「１」より構成される。
【０２２５】
（ｃ）スキップ通知は、電文種別として「３」、決済端末を特定するための決済端末コード、利用者を特定するための利用者情報より構成される。
【０２２６】
（ｄ）受信確認は、電文種別として「４」、決済端末を特定するための決済端末コード、どの電文に対する応答であるかを示す受信電文の電文種別より構成される。
【０２２７】
（ｅ）中止通知は、電文種別として「５」、決済端末を特定するための決済端末コード、利用者を特定するための利用者情報より構成される。
【０２２８】
（ｆ）スキップ中止応答は、電文種別として「６」、決済端末を特定するための決済端末コード、利用者に対する暗証番号の記憶を促す旨の情報より構成される。
【０２２９】
図１３は、利用者に対する暗証番号の記憶を促す旨の情報の表示状態および印字状態を示す図である。
【０２３０】
図１３（ａ）はスキップキー１５３が押下されたときの表示部１５の操作案内の一実施例を示す。
【０２３１】
図１３（ｂ）はスキップ伝票の一実施例を示す。
【０２３２】
この構成によれば、決済端末は暗証番号を覚えていないため、暗証番号入力をスッキプした利用者を特定し、利用者に対する暗証番号の記憶を促す旨の情報とカード会社情報に依存する情報を表示部に表示および／または伝票に印字することができるので、利用者に暗証番号の必要性を知らしめるとともに暗証番号を確認する行為を実行するように誘導することができる。
【０２３３】
（実施の形態４）
本発明の決済端末の構成について説明する。
【０２３４】
図１４は本発明の決済端末の構成を示すブロック図であり、図１４（ａ）は本発明の決済端末の全体構成、図１４（ｂ）はキー入力部の詳細構成を示すブロック図である。
【０２３５】
図１４（ａ）の１１は、決済端末１全体を制御するメイン処理部１１であり、例えばＣＰＵを使用する。
【０２３６】
１４は、カード６に記憶されているカード情報を読み取るためのカード読取部であり、例えばＩＣカードリーダを使用する。カード情報には、利用者を特定するための利用者情報が含まれている。さらに利用者情報には、利用者が所属するカード会社を特定するためのカード会社情報が含まれている。
【０２３７】
例えば、利用者情報を１６桁の数字で構成し、先頭から４桁をカード会社情報に割り当てる方法や先頭から４桁の値が特定の範囲内にあることによりカード会社情報を判別する方法がある。
【０２３８】
１５は、決済端末の操作、購入商品の金額や購入商品に関連する情報の入力、さらに暗証番号の入力を行うためのキー入力部であり、例えばキーボードを使用する。
【０２３９】
１６は、操作案内などを表示するための表示部１６であり、例えば液晶表示装置を使用する。
【０２４０】
１７は、伝票を印字するための印字部であり、例えばプリンタを使用する。
【０２４１】
１８は、決済端末１全体を制御するプログラム、利用者に対する暗証番号の記憶を促す旨の情報、当該取引に関連する取引情報、認証結果、加盟店情報などの情報を記憶する記憶部であり、例えばＲＯＭやＲＡＭを使用する。
【０２４２】
２０は、中止キー１５２が押下されたことを検出する中止判定部であり、例えば中止キー１５２が接続されているポート番号のＩＯ出力（押下している状態であれば１、押下していない状態であれば０）を入力することにより押下されたことを検出し、記憶部１８の特定エリアに中止キー１５２が押下されたことを示す中止フラグをセットする。
【０２４３】
２１は、カード情報から利用者を特定するための利用者情報を抽出する利用者情報抽出部であり、例えばカード情報から利用者情報を特定するための１６桁の数字を抽出する。
【０２４４】
２２は、センタ計算機との通信を行うための通信部であり、ネットワーク３が公衆回線であれば例えばモデム、ネットワーク３が構内ＬＡＮやＷＡＮであれば例えばＬＡＮカードを使用する。
【０２４５】
２３は、利用者情報からカード会社を特定するためのカード会社情報を抽出するカード会社情報抽出部であり、例えば利用者情報（１６桁）の先頭から４桁をカード会社を特定するためのカード会社情報として抽出する。さらに利用者情報の定義の仕方に依存して、利用者情報（１６桁）の先頭から４桁が００００〜４９９９であればカード会社Ａと判定しカード会社Ａを特定するためのカード会社情報（０００Ａ）を抽出し、５０００〜９９９９であればカード会社Ｂと判定しカード会社Ｂを特定するためのカード会社情報（０００Ｂ）を抽出する方法もある。なお、利用者情報の定義の仕方に依存して抽出方法は変わるので、上記実施例に限定されるものではない。
【０２４６】
図１４（ｂ）の１５１は、決済処理の開始を指示する決済開始キーである。１５２は、決済処理を中止する場合に押下する中止キーである。１５４は、暗証番号や購入商品の金額を入力するためのテンキーであり、数字（０〜９）が割り当てられている。１５５は、暗証番号や購入商品の金額を確定させるための確定キーである。１５６は、購入商品に関連する情報を入力するための商品情報キーであり、書籍であれば文庫本や単行本のように専用キーを割り当てる。
【０２４７】
次に決済端末１の動作について説明する。
【０２４８】
なお、暗証番号が正しく入力される場合の処理は、実施の形態２の図７と同じなので説明を省略し、決済処理を中止する動作についてのみ説明する。
【０２４９】
図１５は、決済中止処理の概要を示すフロー図である。
【０２５０】
Ｓ２０００〜Ｓ２０７０は、実施の形態２の図７と同一動作なので説明を省略する。
【０２５１】
利用者４は、表示部１５の操作案内に従い、暗証番号を入力する（Ｓ２０７０）。表示部１５の操作案内の一実施例を図１６（ａ）に示す。
【０２５２】
決済端末１は、暗証番号が入力され確定キー１５５が押下されるのを監視する。暗証番号が入力され確定キー１５５が押下されると、Ｓ２０４０で獲得したカード情報の暗証番号とＳ２０７０で利用者４が入力した暗証番号を照合する（Ｓ２０８０）。照合の結果、「正常」と判断される場合は、実施の形態２の図７のＳ２０９０に移行する。照合の結果、「正常」と判断されない場合は、Ｓ２０８２に移行する（Ｓ２０８１）。
【０２５３】
決済端末１は、暗証番号が「正常」でないことを示すとともに、記憶部１８から利用者に対する暗証番号の記憶を促す旨の情報を読み込み表示部１５に表示する（Ｓ２０８２）。表示部１５の操作案内の一実施例を図１６（ａ）に示す。
【０２５４】
利用者に対する暗証番号の記憶を促す旨の情報の一実施例として、「中止キーを押下して、決済処理を中止してください。暗証番号の入力にご協力のほど、よろしくお願いします。」と表示する。なお、利用者に対する暗証番号の記憶を促す旨の情報は利用者に暗証番号の記憶を促す内容であればよく、上記実施例に限定されるものではない。
【０２５５】
利用者４は、表示部１５の操作案内に従い、操作者５に決済処理中止を依頼する（Ｓ２０８３）。
【０２５６】
操作者５は、中止キーを押下する（Ｓ２０８４）。
【０２５７】
決済端末１は、中止キー１５２が押下されるのを監視する。中止判定部２０により中止キー１５２が押下されたことを判定した場合は、中止フラグをセットし、センタ計算機２に利用者情報と暗証番号入力中に中止キーが押下されたことを示す情報として中止通知を通信部２２より送信する（Ｓ２０８７）。中止通知については、実施の形態３の図１２において詳しく説明する。
【０２５８】
センタ計算機２は、決済端末１から中止通知を受信し、利用者に対する暗証番号の記憶を促す旨の情報を検索する（Ｓ２０８８）。なお、センタ計算機２の動作については、実施の形態６において詳しく説明する。
【０２５９】
センタ計算機２は、決済端末１に利用者に対する暗証番号の記憶を促す旨の情報を送信する（Ｓ２０８９）。なお、センタ計算機２の動作については後で詳しく説明する。
【０２６０】
決済端末１は、センタ計算機２から利用者に対する暗証番号の記憶を促す旨の情報を通信部２２より受信し、カード会社情報と関連付けて記憶部１８に記憶する（Ｓ２０８Ｄ）。
【０２６１】
決済端末１は、中止キー１５２が押下されたことを判定した場合は、中止フラグをセットする（Ｓ２０８５）。
【０２６２】
決済端末１は、中止フラグを確認する。中止フラグがセットされている場合は、記憶部１８から利用者に対する暗証番号の記憶を促す旨の情報を読み込み、決済処理を中止することを表示部１５に表示する（Ｓ２０８Ｄ）。表示部１５の操作案内の一実施例を図１６（ｂ）に示す。
【０２６３】
利用者に対する暗証番号の記憶を促す旨の情報の一実施例として、「決済処理を中止しました。暗証番号の入力にご協力のほど、よろしくお願いします。暗証番号の確認は、下記連絡先へお願いします。ＴＥＬ××−××××−××××」と表示する。なお、利用者に対する暗証番号の記憶を促す旨の情報は利用者に暗証番号の記憶を促す内容であり、カード会社情報に依存する内容として暗証番号の確認先の電話番号などを含むものであればよく、上記実施例に限定されるものではない。その後、図７のＳ２１２０に移行する。
【０２６４】
図１６は、利用者に対する暗証番号の記憶を促す旨の情報の表示状態および印字状態を示す図である。
【０２６５】
図１６（ａ）は暗証番号が「正常」でないときの表示部１５の操作案内の一実施例を示す。
【０２６６】
図１６（ｂ）は決済処理を中止するときの表示部１５の操作案内の一実施例を示す。
【０２６７】
この構成によれば、決済端末は暗証番号を覚えていないため、決済処理を中止した利用者を特定し、利用者に対する暗証番号の記憶を促す旨の情報とカード会社情報に依存する情報を表示部に表示することができるので、利用者に暗証番号の必要性を知らしめるとともに暗証番号を確認する行為を実行するように誘導することができる。
【０２６８】
（実施の形態５）
本発明のセンタ計算機の構成について説明する。
【０２６９】
図１７は本発明のセンタ計算機の構成を示すブロック図である。
【０２７０】
図１７の２１０は、センタ計算機２全体を制御するメイン処理部２１０であり、例えばＣＰＵを使用する。
【０２７１】
２１２は、決済端末１との通信を行うための通信部であり、ネットワーク３が公衆回線であれば例えばモデム、ネットワーク３が構内ＬＡＮやＷＡＮであれば例えばＬＡＮカードを使用する。
【０２７２】
２１３は、記憶部２１５からカード会社情報に関連付けられた利用者に対する暗証番号の記憶を促す旨の情報を検索するカード会社情報検索部である。
【０２７３】
２１４は、利用者情報からカード会社を特定するためのカード会社情報を抽出するカード会社情報抽出部であり、例えば利用者情報（１６桁）の先頭から４桁をカード会社を特定するためのカード会社情報として抽出する。さらに利用者情報の定義の仕方に依存して、利用者情報（１６桁）の先頭から４桁が００００〜４９９９であればカード会社Ａと判定しカード会社Ａを特定するためのカード会社情報（０００Ａ）を抽出し、５０００〜９９９９であればカード会社Ｂと判定しカード会社Ｂを特定するためのカード会社情報（０００Ｂ）を抽出する方法もある。なお、利用者情報の定義の仕方に依存して抽出方法は変わるので、上記実施例に限定されるものではない。
【０２７４】
２１５は、センタ計算機２全体を制御するプログラム、利用者に対する暗証番号の記憶を促す旨の情報、利用者マスタ情報・利用履歴情報などの情報を記憶する記憶部であり、例えばＨＤＤやＲＯＭやＲＡＭを使用する。
【０２７５】
次にセンタ計算機２の動作について説明する。
【０２７６】
なお、実施の形態１の図２および実施の形態３の図１１において、暗証番号を正しく入力する動作と暗証番号動作入力をスキップする動作のうち決済端末１については、説明しているので省略し、センタ計算機２の動作（Ｓ１０８ＢとＳ１０８Ｃ）についてのみ説明する。
【０２７７】
図１１は、暗証番号入力をスキップする動作の概要を示すフロー図である。
【０２７８】
図１８は、記憶部２１５の利用者マスタ情報と提供情報の定義を示す図である。図１８（ａ）は利用者マスタ情報であり、利用者マスタ情報を主キーとし各情報を記憶する。図１８（ｂ）は提供情報であり、カード会社情報を主キーとし利用者に対する暗証番号の記憶を促す旨の情報と関連付けて記憶する。
【０２７９】
センタ計算機２は、決済端末１から図１２のスキップ通知を通信部２１２より受信する。センタ計算機２は、スキップ通知の利用者情報が利用者マスタ情報に登録されていることを確認する。利用者マスタ情報に登録されているとき、センタ計算機２は、カード会社情報抽出部２１４によりスキップ通知の利用者情報からカード会社情報を抽出する。センタ計算機２は、カード会社情報検索部２１３により記憶部２１５の提供情報からカード会社情報に関連付けられた利用者に対する暗証番号の記憶を促す旨の情報を検索する。（Ｓ１０８Ｂ）。
【０２８０】
センタ計算機２は、決済端末１に検索した利用者に対する暗証番号の記憶を促す旨の情報を図１２のスキップ中止応答にセットして通信部２１２より送信する。（Ｓ１０８Ｃ）。
【０２８１】
この構成によれば、センタ計算機は暗証番号を覚えていないため、暗証番号入力をスッキプした利用者を特定し、利用者に対する暗証番号の記憶を促す旨の情報とカード会社情報に依存する情報を決済端末に送信することができるので、利用者に暗証番号の必要性を知らしめるとともに暗証番号を確認する行為を実行するように誘導することができる。
【０２８２】
（実施の形態６）
本発明のセンタ計算機の構成について説明する。
【０２８３】
図１７は本発明のセンタ計算機の構成を示すブロック図である。
【０２８４】
図１７の２１０は、センタ計算機２全体を制御するメイン処理部２１０であり、例えばＣＰＵを使用する。
【０２８５】
２１２は、決済端末１との通信を行うための通信部であり、ネットワーク３が公衆回線であれば例えばモデム、ネットワーク３が構内ＬＡＮやＷＡＮであれば例えばＬＡＮカードを使用する。
【０２８６】
２１３は、記憶部２１５からカード会社情報に関連付けられた利用者に対する暗証番号の記憶を促す旨の情報を検索するカード会社情報検索部である。
【０２８７】
２１４は、利用者情報からカード会社を特定するためのカード会社情報を抽出するカード会社情報抽出部であり、例えば利用者情報（１６桁）の先頭から４桁をカード会社を特定するためのカード会社情報として抽出する。さらに利用者情報の定義の仕方に依存して、利用者情報（１６桁）の先頭から４桁が００００〜４９９９であればカード会社Ａと判定しカード会社Ａを特定するためのカード会社情報（０００Ａ）を抽出し、５０００〜９９９９であればカード会社Ｂと判定しカード会社Ｂを特定するためのカード会社情報（０００Ｂ）を抽出する方法もある。なお、利用者情報の定義の仕方に依存して抽出方法は変わるので、上記実施例に限定されるものではない。
【０２８８】
２１５は、センタ計算機２全体を制御するプログラム、利用者に対する暗証番号の記憶を促す旨の情報、利用者マスタ情報・利用履歴情報などの情報を記憶する記憶部であり、例えばＨＤＤやＲＯＭやＲＡＭを使用する。
【０２８９】
次にセンタ計算機２の動作について説明する。
【０２９０】
なお、実施の形態２の図８および実施の形態４の図１５において、暗証番号を再入力する動作と決済処理を中止する動作のうち決済端末１については、説明しているので省略し、センタ計算機２の動作（Ｓ２０８８とＳ２０８９）についてのみ説明する。
【０２９１】
図１５は、決済中止処理の概要を示すフロー図である。
【０２９２】
図１８は、記憶部２１５の利用者マスタ情報と提供情報の定義を示す図である。図１８（ａ）は利用者マスタ情報であり、利用者マスタ情報を主キーとし各情報を記憶する。図１８（ｂ）は提供情報であり、カード会社情報を主キーとし利用者に対する暗証番号の記憶を促す旨の情報と関連付けて記憶する。
【０２９３】
センタ計算機２は、決済端末１から図１２の中止通知を通信部２１２より受信する。センタ計算機２は、中止通知の利用者情報が利用者マスタ情報に登録されていることを確認する。利用者マスタ情報に登録されているとき、センタ計算機２は、カード会社情報抽出部２１４により中止通知の利用者情報からカード会社情報を抽出する。センタ計算機２は、カード会社情報検索部２１３により記憶部２１５の提供情報からカード会社情報に関連付けられた利用者に対する暗証番号の記憶を促す旨の情報を検索する。（Ｓ２０８８）。
【０２９４】
センタ計算機２は、決済端末１に検索した利用者に対する暗証番号の記憶を促す旨の情報を図１２のスキップ中止応答にセットして通信部２１２より送信する。（Ｓ２０８９）。
【０２９５】
この構成によれば、センタ計算機は暗証番号を覚えていないため、決済処理を中止した利用者を特定し、利用者に対する暗証番号の記憶を促す旨の情報とカード会社情報に依存する情報を決済端末に送信することができるので、利用者に暗証番号の必要性を知らしめるとともに暗証番号を確認する行為を実行するように誘導することができる。
【０２９６】
（実施の形態７）
本発明の決済処理システムについて説明する。
【０２９７】
図１９は本発明の決済処理システムの構成を示すブロック図である。
【０２９８】
１は、決済処理を行う決済端末であり、ネットワーク３を介してセンタ計算機２と接続されている。決済端末１は、実施の形態３に示すように決済処理中にスキップキーが押下された場合に前記利用者情報と暗証番号入力中にスキップキーが押下されたことを示す情報を前記センタ計算機に送信するとともに、センタ計算機２から利用者に対する暗証番号の記憶を促す旨の情報を受信し、カード会社情報と関連付けて記憶部に記憶する。
【０２９９】
２は、カードを発行するカード会社が運営または運営委託しているセンタ計算機であり、利用者管理・認証判定処理・利用履歴管理などを行う。センタ計算機２は、実施の形態５に示すように決済端末１から利用者情報と暗証番号入力中にスキップキーが押下されたことを示す情報を受信した場合に利用者情報からカード会社情報を抽出し、記憶部からカード会社情報に関連付けられた利用者に対する暗証番号の記憶を促す旨の情報を検索し決済端末１に送信する。
【０３００】
３は、決済端末１とセンタ計算機２を接続するネットワークであり、例えば公衆回線や構内ＬＡＮやＷＡＮを使用する。
【０３０１】
４は、カードの所有者である利用者である。
【０３０２】
５は、カードを発行するカード会社の加盟店の店員であり、決済端末を操作する操作者である。
【０３０３】
６は、利用者４が所有するカードであり、例えばＩＣカードを使用する。
【０３０４】
７は、本発明の決済処理システムである。
【０３０５】
次に決済処理システムの動作について説明する。
【０３０６】
決済端末１は、決済処理において暗証番号入力中にスキップキーが押下された場合に少なくとも利用者情報と暗証番号入力中にスキップキーが押下されたことを示す情報をセンタ計算機２に送信する。
【０３０７】
センタ計算機２は、決済端末１から利用者情報と暗証番号入力中にスキップキーが押下されたことを示す情報を受信した場合に利用者情報からカード会社情報を抽出し、記憶部からカード会社情報に関連付けられた利用者に対する暗証番号の記憶を促す旨の情報を検索し決済端末１に送信する。
【０３０８】
決済端末１は、センタ計算機２から利用者に対する暗証番号の記憶を促す旨の情報を受信し、カード会社情報と関連付けて記憶部に記憶し、表示部１５に表示する。
【０３０９】
利用者に対する暗証番号の記憶を促す旨の情報の一実施例として、「暗証番号の入力をスキップしました。暗証番号の入力にご協力のほど、よろしくお願いします。暗証番号の確認は、下記連絡先へお願いします。ＴＥＬ××−××××−××××」と表示する。なお、利用者に対する暗証番号の記憶を促す旨の情報は利用者に暗証番号の記憶を促す内容であり、カード会社情報に依存する内容として暗証番号の確認先の電話番号などを含むものであればよく、上記実施例に限定されるものではない。
【０３１０】
決済端末１は、記憶部２２からカード会社情報と関連付けられた利用者に対する暗証番号の記憶を促す旨の情報を読み込み印字部１７により伝票に印字する。
【０３１１】
利用者に対する暗証番号の記憶を促す旨の情報の一実施例として、「暗証番号の入力をスキップしました。暗証番号の入力にご協力のほど、よろしくお願いします。暗証番号の確認は、下記連絡先へお願いします。ＴＥＬ××−××××−××××」と印字する。なお、利用者に対する暗証番号の記憶を促す旨の情報は利用者に暗証番号の記憶を促す内容であり、カード会社情報に依存する内容として暗証番号の確認先の電話番号などを含むものであればよく、上記実施例に限定されるものではない。
【０３１２】
この構成によれば、決済処理システムは暗証番号を覚えていないため、暗証番号入力をスッキプした利用者を特定し、利用者に対する暗証番号の記憶を促す旨の情報とカード会社情報に依存する情報を決済端末に送信することができるので、利用者に暗証番号の必要性を知らしめるとともに暗証番号を確認する行為を実行するように誘導することができる。
【０３１３】
（実施の形態８）
本発明の決済処理システムについて説明する。
【０３１４】
図１９は本発明の決済処理システムの構成を示すブロック図である。
【０３１５】
１は、決済処理を行う決済端末であり、ネットワーク３を介してセンタ計算機２と接続されている。決済端末１は、実施の形態４に示すように決済処理中に中止キーが押下された場合に利用者情報と暗証番号入力中に中止キーが押下されたことを示す情報を前記センタ計算機に送信するとともに、センタ計算機２から利用者に対する暗証番号の記憶を促す旨の情報を受信し、カード会社情報と関連付けて記憶部に記憶する。
【０３１６】
２は、カードを発行するカード会社が運営または運営委託しているセンタ計算機であり、利用者管理・認証判定処理・利用履歴管理などを行う。センタ計算機２は、実施の形態６に示すように決済端末１から利用者情報と暗証番号入力中に中止キーが押下されたことを示す情報を受信した場合に利用者情報からカード会社情報を抽出し、記憶部からカード会社情報に関連付けられた利用者に対する暗証番号の記憶を促す旨の情報を検索し決済端末１に送信する。
【０３１７】
３は、決済端末１とセンタ計算機２を接続するネットワークであり、例えば公衆回線や構内ＬＡＮやＷＡＮを使用する。
【０３１８】
４は、カードの所有者である利用者である。
【０３１９】
５は、カードを発行するカード会社の加盟店の店員であり、決済端末を操作する操作者である。
【０３２０】
６は、利用者４が所有するカードであり、例えばＩＣカードを使用する。
【０３２１】
次に決済処理システムの動作について説明する。
【０３２２】
決済端末１は、決済処理において暗証番号入力中に中止キーが押下された場合に少なくとも利用者情報と暗証番号入力中に中止キーが押下されたことを示す情報をセンタ計算機２に送信する。
【０３２３】
センタ計算機２は、決済端末１から利用者情報と暗証番号入力中に中止キーが押下されたことを示す情報を受信した場合に利用者情報からカード会社情報を抽出し、記憶部からカード会社情報に関連付けられた利用者に対する暗証番号の記憶を促す旨の情報を検索し決済端末１に送信する。
【０３２４】
決済端末１は、センタ計算機２から利用者に対する暗証番号の記憶を促す旨の情報を受信し、カード会社情報と関連付けて記憶部に記憶し、表示部１５に表示する。
【０３２５】
利用者に対する暗証番号の記憶を促す旨の情報の一実施例として、「決済処理を中止しました。暗証番号の入力にご協力のほど、よろしくお願いします。暗証番号の確認は、下記連絡先へお願いします。ＴＥＬ××−××××−××××」と表示する。なお、利用者に対する暗証番号の記憶を促す旨の情報は利用者に暗証番号の記憶を促す内容であり、カード会社情報に依存する内容として暗証番号の確認先の電話番号などを含むものであればよく、上記実施例に限定されるものではない。
【０３２６】
この構成によれば、決済処理システムは暗証番号を覚えていないため、決済処理を中止した利用者を特定し、利用者に対する暗証番号の記憶を促す旨の情報とカード会社情報に依存する情報を決済端末に送信することができるので、利用者に暗証番号の必要性を知らしめるとともに暗証番号を確認する行為を実行するように誘導することができる。
【０３２７】
（実施の形態９）
本発明の決済処理システムについて説明する。
【０３２８】
図１９は本発明の決済処理システムの構成を示すブロック図である。
【０３２９】
１は、決済処理を行う決済端末であり、ネットワーク３を介してセンタ計算機２と接続されている。決済端末１は、実施の形態３に示すように決済処理中にスキップキーが押下された場合に前記利用者情報と暗証番号入力中にスキップキーが押下されたことを示す情報を前記センタ計算機に通信部２２より送信するとともに、センタ計算機２から利用者に対する暗証番号の記憶を促す旨の情報を通信部２２より受信し、カード会社情報と関連付けて記憶部１８に記憶する。さらに、決済端末１は、実施の形態４に示すように決済処理中に中止キーが押下された場合に利用者情報と暗証番号入力中に中止キーが押下されたことを示す情報を前記センタ計算機に通信部２２より送信するとともに、センタ計算機２から利用者に対する暗証番号の記憶を促す旨の情報を通信部２２より受信し、カード会社情報と関連付けて記憶部１８に記憶する。
【０３３０】
２は、カードを発行するカード会社が運営または運営委託しているセンタ計算機であり、利用者管理・認証判定処理・利用履歴管理などを行う。
【０３３１】
センタ計算機２は、実施の形態３に示す決済端末１と実施の形態４に示す決済端末１と接続可能であり、決済端末を特定するため決済端末コードにより処理を振り分ける。
【０３３２】
３は、決済端末１とセンタ計算機２を接続するネットワークであり、例えば公衆回線や構内ＬＡＮやＷＡＮを使用する。
【０３３３】
４は、カードの所有者である利用者である。
【０３３４】
５は、カードを発行するカード会社の加盟店の店員であり、決済端末を操作する操作者である。
【０３３５】
６は、利用者４が所有するカードであり、例えばＩＣカードを使用する。
【０３３６】
図２０は本発明のセンタ計算機の構成を示すブロック図である。
【０３３７】
図２０の２１０は、センタ計算機２全体を制御するメイン処理部２１０であり、例えばＣＰＵを使用する。
【０３３８】
２１２は、決済端末１との通信を行うための通信部であり、ネットワーク３が公衆回線であれば例えばモデム、ネットワーク３が構内ＬＡＮやＷＡＮであれば例えばＬＡＮカードを使用する。
【０３３９】
２１５は、センタ計算機２全体を制御するプログラム、利用者に対する暗証番号の記憶を促す旨の情報、利用者マスタ情報・利用履歴情報などの情報を記憶する記憶部であり、例えばＨＤＤやＲＯＭやＲＡＭを使用する。記憶部２１５は、図１８の利用者マスタ情報と図２１の利用履歴情報と提供情報スキップ回数と提供情報中止回数と提供情報カード再発行回数と提供情報経過期間を記憶する。
【０３４０】
図２１は、記憶部２１５の利用履歴情報と提供情報の定義を示す図である。図２１（ａ）は利用履歴情報であり、利用者情報を主キーとしスキップ回数と中止回数とカード再発行回数と前回利用年月日を記憶する。図２１（ｂ）は提供情報スキップ回数であり、スキップ回数を主キーとし利用者に対する暗証番号の記憶を促す旨の情報と関連付けて記憶する。図２１（ｃ）は提供情報中止回数であり、中止回数を主キーとし利用者に対する暗証番号の記憶を促す旨の情報と関連付けて記憶する。図２１（ｄ）は提供情報カード再発行回数であり、カード再発行回数を主キーとし利用者に対する暗証番号の記憶を促す旨の情報と関連付けて記憶する。図２１（ｅ）は提供情報経過期間であり、経過期間を主キーとし利用者に対する暗証番号の記憶を促す旨の情報と関連付けて記憶する。
【０３４１】
２１６は、記憶部２１５から利用者の利用履歴情報の管理指標に関連付けられた利用者に対する暗証番号の記憶を促す旨の情報を検索する利用履歴情報検索部である。
【０３４２】
２１７は、利用者の利用履歴情報から利用履歴情報の管理指標を抽出する利用履歴情報抽出部である。
【０３４３】
２１８は、現在の年月日時分秒を出力する時計部である。
【０３４４】
次に決済処理システムの動作について説明する。
【０３４５】
決済端末１は、決済処理において暗証番号入力中にスキップキーが押下された場合に少なくとも利用者情報と暗証番号入力中にスキップキーが押下されたことを示す情報をセンタ計算機２に通信部２２より送信する。さらに決済端末１は、決済処理において暗証番号入力中に中止キーが押下された場合に少なくとも利用者情報と暗証番号入力中に中止キーが押下されたことを示す情報をセンタ計算機２に通信部２２より送信する。
【０３４６】
センタ計算機２は、決済端末１から図１２のスキップ通知（利用者情報と暗証番号入力中にスキップキーが押下されたことを示す情報）を通信部２１２より受信した場合、スキップ通知から利用者情報を抽出し、当該利用者情報の利用履歴情報のスキップ回数に１を加算する。次にセンタ計算機２は、利用履歴情報抽出部２１７により利用者の利用履歴情報から利用履歴情報の管理指標としてのスッキプ回数を抽出する。次にセンタ計算機２は、利用履歴情報検索部２１６により記憶部２１５から利用者の利用履歴情報の管理指標としてのスッキプ回数に関連付けられた利用者に対する暗証番号の記憶を促す旨の情報を検索し、図１２のスキップ中止応答として決済端末１に通信部２１２より送信する。また、センタ計算機２は、利用履歴情報検索部２１６により記憶部２１５から利用者の利用履歴情報の管理指標としてのカード再発行回数に関連付けられた利用者に対する暗証番号の記憶を促す旨の情報を検索し、図１２のスキップ中止応答として決済端末１に通信部２１２より送信しても良い。
【０３４７】
センタ計算機２は、決済端末１から図１２の中止通知（利用者情報と暗証番号入力中に中止キーが押下されたことを示す情報）を通信部２１２より受信した場合、中止通知から利用者情報を抽出し、当該利用者情報の利用履歴情報の中止回数に１を加算する。次にセンタ計算機２は、利用履歴情報抽出部２１７により利用者の利用履歴情報から利用履歴情報の管理指標としての中止回数を抽出する。次にセンタ計算機２は、利用履歴情報検索部２１６により記憶部２１５から利用者の利用履歴情報の管理指標としての中止回数に関連付けられた利用者に対する暗証番号の記憶を促す旨の情報を検索し、図１２のスキップ中止応答として決済端末１に通信部２１２より送信する。また、センタ計算機２は、利用履歴情報検索部２１６により記憶部２１５から利用者の利用履歴情報の管理指標としてのカード再発行回数に関連付けられた利用者に対する暗証番号の記憶を促す旨の情報を検索し、図１２のスキップ中止応答として決済端末１に通信部２１２より送信しても良い。
【０３４８】
センタ計算機２は、決済端末１から図１２の認証要求（利用者情報と購入品の金額と情報）を通信部２１２より受信した場合、認証要求から利用者情報を抽出し、当該利用者情報の利用履歴情報の前回利用年月日を獲得する。次にセンタ計算機２は、時計部２１８から現在年月日を獲得し、利用者の利用履歴情報から利用履歴情報の管理指標としての前回利用年月日を抽出し、現在年月日から前回利用年月日を引き算することにより経過期間を算出する。次にセンタ計算機２は、経過期間が予め決められた期間以上であるとき、利用履歴情報検索部２１６により記憶部２１５から利用者の利用履歴情報の管理指標としての経過期間に関連付けられた利用者に対する暗証番号の記憶を促す旨の情報を検索し、図２２の認証結果として決済端末１に通信部２１２より送信する。当該利用者情報の利用履歴情報の前回利用年月日に時計部２１８から獲得した年月日を設定する。また、センタ計算機２は、利用履歴情報検索部２１６により記憶部２１５から利用者の利用履歴情報の管理指標としてのカード再発行回数に関連付けられた利用者に対する暗証番号の記憶を促す旨の情報を検索し、図２２の認証結果として決済端末１に通信部２１２より送信しても良い。
【０３４９】
図２２は、決済端末１とセンタ計算機２間の電文フォーマットを示す図である。
【０３５０】
（ａ）認証結果は、電文種別として「７」、決済端末を特定するための決済端末コード、利用者を特定するための利用者情報、結果として正常であれば「０」、正常でなければ「１」そして利用者に対する暗証番号の記憶を促す旨の情報より構成される。
【０３５１】
決済端末１は、センタ計算機２から利用者に対する暗証番号の記憶を促す旨の情報を通信部２２より受信し、カード会社情報と関連付けて記憶部１８に記憶し、表示部１５および／または印字部１７より出力する。
【０３５２】
次に利用者に対する暗証番号の記憶を促す旨の情報の内容を説明する。
【０３５３】
利用履歴情報の管理指標が暗証番号の入力処理をスキップさせた回数である場合、利用者に対する暗証番号の記憶を促す旨の情報の一実施例として、「暗証番号の入力をスキップしました。暗証番号の入力にご協力のほど、よろしくお願いします。今回までのスキップ回数は××です。」のようにスキップ回数を含む内容を表示する。図２３の（ａ）および（ｂ）に利用者に対する暗証番号の記憶を促す旨の情報の表示状態および印字状態を示す。なお、利用者に対する暗証番号の記憶を促す旨の情報は利用者に暗証番号の記憶を促す内容であり、暗証番号の入力処理をスキップさせた回数に依存する内容としてスキップ回数などを含むものであればよく、上記実施例に限定されるものではない。
【０３５４】
利用履歴情報の管理指標が決済処理を中止させた回数である場合、利用者に対する暗証番号の記憶を促す旨の情報の一実施例として、「決済処理を中止しました。暗証番号の入力にご協力のほど、よろしくお願いします。今回までの中止回数は××です。」のように中止回数を含む内容を表示する。図２３の（ｃ）に利用者に対する暗証番号の記憶を促す旨の情報の表示状態を示す。なお、利用者に対する暗証番号の記憶を促す旨の情報は利用者に暗証番号の記憶を促す内容であり、決済処理を中止させた回数に依存する内容として中止回数などを含むものであればよく、上記実施例に限定されるものではない。
【０３５５】
利用履歴情報の管理指標がカードの再発行回数である場合、利用者に対する暗証番号の記憶を促す旨の情報の一実施例として、「暗証番号の入力をスキップしました。暗証番号の入力にご協力のほど、よろしくお願いします。今回までのカードの再発行回数は××です。」または「決済処理を中止しました。暗証番号の入力にご協力のほど、よろしくお願いします。今回までのカードの再発行回数は××です。」のようにカードの再発行回数を含む内容を表示する。図２３の（ｄ）（ｅ）および（ｆ）に利用者に対する暗証番号の記憶を促す旨の情報の表示状態および印字状態を示す。なお、利用者に対する暗証番号の記憶を促す旨の情報は利用者に暗証番号の記憶を促す内容であり、カードの再発行回数に依存する内容としてカードの再発行回数などを含むものであればよく、上記実施例に限定されるものではない。
【０３５６】
利用履歴情報の管理指標が前回利用時からの経過期間である場合、利用者に対する暗証番号の記憶を促す旨の情報の一実施例として、「暗証番号の入力にご協力のほど、よろしくお願いします。」のように表示する。図２３の（ｇ）および（ｈ）に利用者に対する暗証番号の記憶を促す旨の情報の表示状態および印字状態を示す。なお、利用者に対する暗証番号の記憶を促す旨の情報は利用者に暗証番号の記憶を促す内容であればよく、上記実施例に限定されるものではない。
【０３５７】
図２３は、利用者に対する暗証番号の記憶を促す旨の情報の表示状態と印字状態を示す図である。
【０３５８】
図２３（ａ）は利用履歴情報の管理指標が暗証番号の入力処理をスキップさせた回数である場合の表示部１５の操作案内の一実施例を示す。
【０３５９】
図２３（ｂ）は利用履歴情報の管理指標が暗証番号の入力処理をスキップさせた回数である場合の印字部１７の伝票の一実施例を示す。
【０３６０】
図２３（ｃ）は利用履歴情報の管理指標が決済処理を中止させた回数である場合の表示部１５の操作案内の一実施例を示す。
【０３６１】
図２３（ｄ）は利用履歴情報の管理指標がカードの再発行回数である場合の表示部１５の操作案内の一実施例を示す。
【０３６２】
図２３（ｅ）は利用履歴情報の管理指標がカードの再発行回数である場合の印字部１７の伝票の一実施例を示す。
【０３６３】
図２３（ｆ）は利用履歴情報の管理指標がカードの再発行回数である場合の表示部１５の操作案内の一実施例を示す。
【０３６４】
図２３（ｇ）は利用履歴情報の管理指標が前回利用時からの経過期間である場合の表示部１５の操作案内の一実施例を示す。
【０３６５】
図２３（ｈ）は利用履歴情報の管理指標が前回利用時からの経過期間である場合の印字部１７の伝票の一実施例を示す。
【０３６６】
この構成によれば、決済処理システムは暗証番号を覚えていないため、暗証番号入力をスッキプした利用者を特定し、利用者に対する暗証番号の記憶を促す旨の情報と利用者情報に依存する情報を決済端末に送信することができるので、利用者に暗証番号の必要性と利用者の現在の暗証番号の入力処理をスキップさせた回数を知らしめることができる。
【０３６７】
また、決済端末は暗証番号を覚えていないため、決済処理を中止した利用者を特定し、利用者に対する暗証番号の記憶を促す旨の情報と利用者情報に依存する情報を決済端末に送信することができるので、利用者に暗証番号の必要性と利用者の現在の決済処理を中止させた回数を知らしめることができる。
【０３６８】
また、決済処理システムは暗証番号を覚えていないため、暗証番号入力をスッキプした利用者および決済端末は暗証番号を覚えていないため、決済処理を中止した利用者を特定し、利用者に対する暗証番号の記憶を促す旨の情報と利用者情報に依存する情報を決済端末に送信することができるので、利用者に暗証番号の必要性と利用者の現在の決済処理をカードの再発行回数を知らしめることができる。
【０３６９】
また、決済処理システムは暗証番号を入力し「正常」と判定された利用者に対しても、前回利用時からの経過期間を設定することで利用者を特定し、利用者に対する暗証番号の記憶を促す旨の情報を決済端末に送信することができるので、利用者に暗証番号の必要性を知らしめることができる。
【０３７０】
さらに、利用履歴情報の管理指標を判断基準として、電子メールやダイレクトメールを使用して、利用者に対する暗証番号の記憶を促す旨の情報を利用者に知らしめる活動をしてもよい。
【０３７１】
以上のように、本実施の形態１〜９によれば、暗証番号を覚えていない利用者を識別し、当該利用者に対し決済端末の表示部や伝票に暗証番号を覚えることを促進する案内を示し、さらにセンタ計算機に対し当該利用者情報を通知することにより、利用者に対し暗証番号を覚えることを促進することができる。
【０３７２】
さらに、センタ計算機では、暗証番号の記憶を促す旨の情報を不特定多数ではなく、決済端末から送信される特定の利用者に対し送信することができ、効率的に情報通知することができる。また、不正利用の早期発見にもつながる。
【産業上の利用可能性】
【０３７３】
本発明の決済端末、決済処理システムは、利用者に暗証番号を覚えてもらうように促進することができ、暗証番号が必要となる高セキュリティな決済処理システムなどに有用である。
【図面の簡単な説明】
【０３７４】
【図１】（ａ）決済端末の全体構成図（ｂ）キー入力部の構成を示す図（ｃ）カードを示す図
【図２】本発明の決済端末１のＩＣカードによるカード決済の概要を示すフロー図
【図３】再入力処理の概要を示すフロー図
【図４】暗証番号入力をスキップする動作の概要を示すフロー図
【図５】（ａ）操作案内の一例を示す図（ｂ）操作案内の一例を示す図（ｃ）通常伝票の一例を示す図（ｄ）スキップ伝票の一例を示す図
【図６】（ａ）決済端末の全体構成図（ｂ）キー入力部の構成を示す図（ｃ）カードを示す図
【図７】本発明の決済端末１のＩＣカードによるカード決済の概要を示すフロー図
【図８】決済中止処理の概要を示すフロー図
【図９】（ａ）操作案内の一例を示す図（ｂ）操作案内の一例を示す図（ｃ）操作案内の一例を示す図（ｄ）通常伝票の一例を示す図
【図１０】（ａ）決済端末の全体構成図（ｂ）キー入力部の構成を示す図（ｃ）カードを示す図
【図１１】暗証番号入力をスキップする動作の概要を示すフロー図
【図１２】（ａ）認証要求を示す図（ｂ）認証結果を示す図（ｃ）スキップ通知を示す図（ｄ）受信確認を示す図（ｅ）中止通知を示す図（ｆ）スキップ中止応答を示す図
【図１３】（ａ）操作案内の一例を示す図（ｂ）スキップ伝票の一例を示す図
【図１４】（ａ）決済端末の全体構成図（ｂ）キー入力部の構成を示す図（ｃ）カードを示す図
【図１５】決済中止処理の概要を示すフロー図
【図１６】（ａ）操作案内の一例を示す図（ｂ）操作案内の一例を示す図
【図１７】本発明のセンタ計算機の構成を示すブロック図
【図１８】（ａ）利用者マスタ情報を示す図（ｂ）提供情報を示す図
【図１９】本発明の決済処理システムの構成を示すブロック図
【図２０】本発明のセンタ計算機の構成を示すブロック図
【図２１】（ａ）利用履歴情報を示す図（ｂ）提供情報スキップ回数を示す図（ｃ）提供情報中止回数を示す図（ｄ）提供情報カード再発行回数を示す図（ｅ）提供情報経過期間を示す図
【図２２】（ａ）決済端末１とセンタ計算機２間の電文フォーマットを示す図
【図２３】（ａ）表示状態と印字状態を示す図（ｂ）伝票の一例を示す図（ｃ）操作案内の一例を示す図（ｄ）操作案内の一例を示す図（ｅ）伝票の一例を示す図（ｆ）操作案内の一例を示す図（ｇ）操作案内の一例を示す図（ｈ）伝票の一例を示す図
【図２４】従来のＩＣカードによるカード決済の概要を示すフロー図
【図２５】従来の再入力処理の概要を示すフロー図
【符号の説明】
【０３７５】
１  決済端末
２  センタ計算機
３  ネットワーク
４  利用者
５  操作者
６  カード
７  決済処理システム
１１  決済端末のメイン処理部
１４  決済端末のカード読取部
１５  決済端末のキー入力部
１６  決済端末の表示部
１７  決済端末の印字部
１８  決済端末の記憶部
１９  スキップ判定部
２０  中止判定部
２１  決済端末の利用者情報抽出部
２２  決済端末の通信部
２３  決済端末のカード会社情報抽出部
１５１  決済開始キー
１５２  中止キー
１５３  スキップキー
１５４  テンキー
１５５  確定キー
１５６  商品情報キー
２１０  センタ計算機のメイン処理部
２１２  センタ計算機の通信部
２１３  センタ計算機のカード会社情報検索部
２１４  センタ計算機のカード会社情報抽出部
２１５  センタ計算機の記憶部
２１６  センタ計算機の利用者情報検索部
２１７  センタ計算機の利用履歴情報抽出部
２１８  センタ計算機の時計部
【図１】
2005157833.tif 000003
【図２】
2005157833.tif 000004
【図３】
2005157833.tif 000005
【図４】
2005157833.tif 000006
【図５】
2005157833.tif 000007
【図６】
2005157833.tif 000008
【図７】
2005157833.tif 000009
【図８】
2005157833.tif 000010
【図９】
2005157833.tif 000011
【図１０】
2005157833.tif 000012
【図１１】
2005157833.tif 000013
【図１２】
2005157833.tif 000014
【図１３】
2005157833.tif 000015
【図１４】
2005157833.tif 000016
【図１５】
2005157833.tif 000017
【図１６】
2005157833.tif 000018
【図１７】
2005157833.tif 000019
【図１８】
2005157833.tif 000020
【図１９】
2005157833.tif 000021
【図２０】
2005157833.tif 000022
【図２１】
2005157833.tif 000023
【図２２】
2005157833.tif 000024
【図２３】
2005157833.tif 000025
【図２４】
2005157833.tif 000026
【図２５】
2005157833.tif 000027